(57)【要約】【課題】多数の設備機器の状態を同時に把握することができる火災受信機を提供することを目的とするものである。また、作動した設備機器の種類や、発生した警報、設備異常を迅速に把握することができる火災受信機を提供することを目的とするものである。【解決手段】建物に配設されている各種の設備機器の状態変化を表示する火災受信機において、作動した上記設備機器を、個別に表示する個別表示エリアを設け、上記設備機器のうちの少なくとも１つの設備機器が作動している場合、上記作動している設備機器の種類と作動していることとを表示する種別表示エリアを設け、上記設備機器が作動したときに、作動した設備機器を上記個別表示エリアに表示し、また、作動した設備機器が属する種類と作動したこととを上記種別表示エリアに表示させる表示制御手段を設けた火災受信機である。【選択図】図１
2007286839.tif 000002
【特許請求の範囲】
【請求項１】
建物に配設されている各種の設備機器の状態変化を表示する火災受信機において、
作動した上記設備機器を、個別に表示する個別表示エリアと；
上記設備機器のうちの少なくとも１つの設備機器が作動している場合、上記作動している設備機器の種類と、作動していることとを表示する種別表示エリアと；
上記設備機器が作動したときに、作動した設備機器を上記個別表示エリアに表示し、また、作動した設備機器が属する種類と作動したこととを上記種別表示エリアに表示させる表示制御手段と；
を有することを特徴とする火災受信機。
【請求項２】
請求項１において、
上記設備機器を表示する色を、上記種類毎に異ならせて、上記種別表示エリアと上記個別表示エリアとで表示させる表示色制御手段を有することを特徴とする火災受信機。
【請求項３】
請求項１において、
上記個別表示エリアは、１０報を一度に表示し、１１報目以降を、スクロールによって表示するエリアであることを特徴とする火災受信機。
【請求項４】
請求項１において、
上記設備機器の種類にそれぞれ対応する複数の種別スイッチが設けられ、
上記表示制御手段は、上記複数の種別スイッチのうちの１つを押すと、この押されたスイッチに対応する種類に属する設備機器のみを、上記個別表示エリアに表示させる手段であることを特徴とする火災受信機。
【発明の詳細な説明】
【技術分野】
【０００１】
本発明は、火災受信機に関する。
【背景技術】
【０００２】
従来の表示装置としての火災受信機に、火災感知器、ガス漏れ検知器以外の端末機器、たとえば、防排煙機器、消火ポンプ等の設備機器が接続されている（たとえば、特許文献１参照）。
【０００３】
これら設備機器は、多くの種別のものがあり、したがって、接続数も多い。
【０００４】
図５は、従来の火災受信機における表示例を示す図である。
【０００５】
これら設備機器の作動時は、その作動状態を表示部に表示するが、従来は、火災感知器、ガス漏れ検知器、それ以外の端末機器（設備機器）毎に、同じサイズの端末表示エリア（図では２報ずつ）を設定しているので、３報目以降を表示するには、表示をスクロールする必要がある。
【特許文献１】特開平８−１１５４８３号公報
【発明の開示】
【発明が解決しようとする課題】
【０００６】
しかし、上記従来例において、上記表示エリアには、同時に表示できるのは２報だけであり、３報目以降については、スクロールして表示させるので、多数の設備機器の状態を同時に把握することができないという問題がある。
【０００７】
本発明は、多数の設備機器の状態を同時に把握することができる火災受信機を提供することを目的とするものである。
【０００８】
また、本発明は、作動した設備機器の種類や、発生した警報、設備異常を迅速に把握することができる火災受信機を提供することを目的とするものである。
【課題を解決するための手段】
【０００９】
本発明は、建物に配設されている各種の設備機器の状態変化を表示する火災受信機において、作動した上記設備機器を、個別に表示する個別表示エリアを設け、上記設備機器のうちの少なくとも１つの設備機器が作動している場合、上記作動している設備機器の種類と作動していることとを表示する種別表示エリアを設け、上記設備機器が作動したときに、作動した設備機器を上記個別表示エリアに表示し、また、作動した設備機器が属する種類と作動したこととを上記種別表示エリアに表示させる表示制御手段を設けた火災受信機である。
【発明の効果】
【００１０】
本発明によれば、多数の設備機器の状態を同時に把握することができるという効果を奏する。
【００１１】
また、本発明によれば、作動した設備機器の種類や、発生した警報、設備異常を迅速に把握することができるという効果を奏する。
【発明を実施するための最良の形態】
【００１２】
発明を実施するための最良の形態は、以下の実施例である。
【実施例１】
【００１３】
図１は、本発明の実施例１である火災受信機ＲＥ１を含む火災報知設備ＦＡ１のシステム構成を示すブロック図である。
【００１４】
火災報知設備ＦＡ１は、端末として、差動式スポット型感知器ＳＥ１と、光電式スポット型感知器ＳＥ２と、熱アナログ感知器ＳＥ３と、光電式アナログ感知器ＳＥ４と、アドレッサブル発信機ＳＥ５と、ショートサーキットアイソレータＳＣＩと、防排煙制御用中継器Ｃ１と、火災監視用中継器Ｃ２、Ｃ３、Ｃ８と、地区音響制御用中継器Ｃ４と、ガス漏れ検知用中継器Ｃ５と、防排煙制御用中継器Ｃ６と、中継器Ｃ７とを有する。これらは、伝送線（１系統）を介して、火災受信機ＲＥ１に接続されている。
【００１５】
また、火災報知設備ＦＡ１は、メッセージ表示機Ｄ１、Ｄ２、〜、Ｄ３１と、ディスプレイシステムＤＰ１、および各中継器に接続される機器として、一般型感知器ＳＥ６、ＳＥ７、ＳＥ８と、ガス漏れ検知器ＳＥ９と、Ｐ型発信機Ｇ１、Ｇ２と、地区ベルＢＬと、設備機器の一例としての防排煙機器（設備）ＤＳ１、ＤＳ２とを有する。上記した各種の端末、機器等は、建物の各所に配設されている。
【００１６】
図２は、火災受信機ＲＥ１を示すブロック図である。
【００１７】
火災受信機ＲＥ１は、ＰＳＵ基板１０と、プリンタＰＲ１と、ＯＰＯ基板Ｂ１と、ＯＰＩＮ基板Ｂ２と、ＯＰＰＳ基板Ｂ３、Ｂ４と、ＮＩＵ基板（ホスト接続用基板）Ｂ５と、ＭＣＵ基板２０と、スピーカＳＰ１と、インバータＩＮＶ１と、タッチパネルＴＰとして作用するＬＣＤ３０と、電話ジャックＪ１と、ＣＴＵ基板（伝送基板）Ｂ６〜Ｂｎと、ＡＣ／ＤＣ電源ＡＣ／ＤＣと、予備電源ＢＴとを有する。
【００１８】
ＰＳＵ基板１０は、ＡＣ／ＤＣ電源ＡＣ／ＤＣとしてのＡＣ／ＤＣコンバータによってＡＣ１００Ｖから生成された直流電圧、ＤＣ２４Ｖを、各基板１０、２０、Ｂ３〜Ｂｎに電源供給する基板であり、また、ＯＰＯ基板Ｂ１、ＯＰＩＮ基板Ｂ２に対して、移報を制御する基板である。
【００１９】
ＯＰＯ基板Ｂ１は、出力用基板である。ＯＰＩＮ基板Ｂ２は、入力用基板である。ＯＰＰＳ基板Ｂ３、Ｂ４は、端末の電源供給用基板であり、中継器Ｃ１〜Ｃ８の２次側に接続された端末（たとえば地区ベルＢＬ）に電源を供給する基板である。ＮＩＵ基板Ｂ５は、ホスト接続用基板であり、ホスト伝送線を介して、ディスプレイシステムＤＰ１と接続される基板である。
【００２０】
ＭＣＵ基板２０は、主制御ユニットの基板であり、表示部・メイン処理用の基板であり、メモリカードＭＣ１が挿入、接続され、スロットＳＬ１が設けられている。
【００２１】
スロットＳＬ１は、メモリカードＭＣ１を着脱するスロットである。
【００２２】
メモリカードＭＣ１は、データベースまたは履歴リストとしてのイベント情報を格納するメモリカードであり、たとえば、コンパクトフラッシュ（登録商標）カードで構成されている。
【００２３】
インバータＩＮＶ１は、ＬＣＤ３０のバックライトを駆動する電源を制御するものである。ＣＴＵ基板Ｂ６〜Ｂｎは、端末と接続する伝送基板であり、２系統分の伝送線を制御する。
【００２４】
図３は、実施例１である火災受信機ＲＥ１におけるＬＣＤ３０の表示例を示す図である。
【００２５】
ＬＣＤ３０は、個別表示エリアＡ１と、種別表示エリアＡ２とを有する。
【００２６】
個別表示エリアＡ１では、棟階地区名称、棟階地区番号と共に、作動した設備機器を、個別に表示し、また、発生した諸警報、設備異常も、個別に表示し、さらに、１０報を一度に表示し、１１報目以降を、スクロールによって表示するエリア（１０報表示画面）である。
【００２７】
つまり、個別表示エリアＡ１は、１０報を同時に表示することができるエリアであり、複数の設備機器のそれぞれが作動したことや、諸警報、設備異常が発生したことを、個別に表示する表示エリアであり、１０個の表示エリア４０、４１、４２、４３、４４、４５、４６、４７、４８、４９を有する。
【００２８】
種別表示エリアＡ２は、設備機器のうちの少なくとも１つの設備機器が作動している場合、上記作動している設備機器の種類と、作動していることとを表示する。また、種別表示エリアＡ２は、諸警報または設備異常が発生している場合、上記発生している諸警報または設備異常と、上記諸警報または設備異常が発生していることとを表示するエリアである。さらに、種別表示エリアＡ２には、上記設備機器の種類にそれぞれ対応する複数の種別スイッチと、上記諸警報用のスイッチと、設備異常用のスイッチとが設けられている。なお、実施例では、複数の種別スイッチと、上記諸警報用のスイッチと、設備異常用のスイッチとは、ソフトスイッチであり、タッチパネルＴＰによって構成されている。
【００２９】
つまり、種別表示エリアＡ２は、設備機器を、防火防煙設備機器、排煙設備機器、消火設備機器の３種類に分け、これら３種類のうちの１つの種類の設備機器のうちで、少なくとも１つの設備機器が作動している場合、その設備機器が属する種類を表示する表示エリアである。
【００３０】
具体的には、種別表示エリアＡ２には、防火防煙用表示エリア５１と、排煙用表示エリア５２と、消火用表示エリア５３と、諸警報用表示エリア５４と、設備異常用表示エリア５５とが設けられている。また、防火防煙用表示エリア５１と、排煙用表示エリア５２と、消火用表示エリア５３には、それぞれ、「作動」が表示され、諸警報用表示エリア５４と、設備異常用表示エリア５５には、「発生」が表示される。
【００３１】
防火防煙用表示エリア５１は、防火戸等の防火防煙用設備機器が作動すると、「防火防煙」と「作動」とを表示し、これらを黒色で表示する表示エリアである。この作動状態を示すときに、防火防煙用表示エリア５１は、上記種別スイッチとして機能する。また、防火防煙用設備機器が作動していない場合は、「防火防煙」および作動していないことを示す「なし」とを表示し、これらをグレー色で表示する。この作動していない状態を示すときに、防火防煙用表示エリア５１は、上記種別スイッチとして機能しない、つまり操作無効である。
【００３２】
排煙用表示エリア５２は、排煙窓、シャッタ等の排煙用設備機器が作動すると、「排煙」と「作動」とを表示し、これらを緑色で表示する表示エリアである。この作動状態を示すときに、排煙用表示エリア５２は、上記種別スイッチとして機能する。また、排煙用設備機器が作動してない場合は、「排煙」と作動していないことを示す「なし」とを表示し、これらをグレー色で表示する。この作動していない状態を示すときに、排煙用表示エリア５２は、上記種別スイッチとして機能しない、つまり操作無効である。
【００３３】
消火用表示エリア５３は、消火ポンプ等の消火用設備機器が作動すると、「消火」と「作動」とを表示し、これらを水色で表示する表示エリアである。この作動状態を示すときに、消火用表示エリア５３は、上記種別スイッチとして機能する。また、消火用設備機器が作動してない場合は、「消火」と作動していないことを示す「なし」とを表示し、これらをグレー色で表示する。この作動していない状態を示すときに、消火用表示エリア５３は、上記種別スイッチとして機能しない、つまり操作無効である。
【００３４】
設備異常用表示エリア５５は、各種設備機器（上記した防火防煙用、排煙用、消火用設備機器）の異常状態を示すエリアであり、消火ポンプの故障、電源断等、設備異常が発生すると、「設備異常」と「発生」とを表示し、これらを紫色で表示する表示エリアである。
【００３５】
設備異常用表示エリア５５は、設備異常のうちで、少なくとも１つの設備異常が発生したことを示すエリアである。この発生状態を示すときに、設備異常用表示エリア５５は、上記設備異常用のスイッチとして機能する。また、設備異常が発生していない場合は、「設備異常」と発生していないことを示す「なし」とを表示し、これらをグレー色で表示する。この発生していない状態を示すときに、設備異常用表示エリア５５は、上記設備異常用のスイッチとして機能しない、つまり操作無効である。
【００３６】
諸警報用表示エリア５４は、上記した３種類の設備機器の作動および１つの設備異常に該当しない各種警報の接点入力（たとえば、スプリンクラの点検中入力・防災警報入力・他棟警報入力）が発生すると、「諸警報」と「発生」とを表示し、これらをオレンジ色で表示する表示エリアである。諸警報用表示エリア５４は、諸警報のうちで少なくとも１つの警報が発生したことを示すエリアである。
【００３７】
この発生状態を示すときに、諸警報用表示エリア５４は、上記諸警報用のスイッチとして機能する。また、諸警報が発生していない場合は、「諸警報」と発生していないことを示す「なし」とを表示し、これらをグレー色で表示する。この発生していない状態を示すときに、諸警報用表示エリア５４は、上記諸警報用のスイッチとして機能しない、つまり操作無効である。
【００３８】
以上の表示エリア５１〜５５毎の異なる色分けは、対応する個別表示エリアＡ１における上記３種類の作動した端末機器、および、発生した諸警報、設備異常でも同様に行われる。
【００３９】
つまり、ＭＣＵ基板２０は、設備機器が作動したときに、作動した設備機器を個別表示エリアＡ１に表示し、また、作動した設備機器が属する種類と作動したこととを種別表示エリアＡ２に表示させる表示制御手段の例である。
【００４０】
また、ＭＣＵ基板２０は、上記複数の種別スイッチのうちの１つを押すと、この押されたスイッチに対応する種類に属する設備機器のみを、上記個別表示エリアＡ１に表示させる。ＭＣＵ基板２０は、諸警報または設備異常が発生したときに、発生した諸警報または設備異常を個別表示エリアＡ１に表示し、また、発生した諸警報または設備異常と、諸警報または設備異常が発生したこととを、種別表示エリアＡ２に表示させる。
【００４１】
また、ＭＣＵ基板２０は、上記複数の種別スイッチ、上記諸警報用のスイッチ、上記設備異常用のスイッチのうちの１つを押すと、この押されたスイッチに対応する種類に属する設備機器のみ、上記諸警報のみ、または上記設備異常のみを、上記個別表示エリアＡ１に表示させる。
【００４２】
また、ＭＣＵ基板２０は、上記設備機器を表示する色を、上記種類毎に異ならせて、上記種別表示エリアＡ２と上記個別表示エリアＡ１とで表示させ、また、上記諸警報、設備異常を表示する色を、互いに異なる色とし、さらに、上記種類に付与した色とは異なる色を付与する。
【００４３】
なお、図３には示されていないが、通常時は、設備機器の状態を表示する個別表示エリアＡ１は、火災感知器の発報状態を表示する個別表示エリアＡ３、および、ガス漏れ検知器の発報状態を表示する個別表示エリアＡ４と同様の大きさのエリア、つまり、２報のみを同時に表示できる２報表示エリア（２報表示画面）であり、また、種別表示エリアＡ２には何も表示されていない。
【００４４】
図３の端末装置情報スイッチ６０を押すことによって、個別表示エリアＡ１が、図３に示すように、１０報を表示できるサイズに変化する。
【００４５】
また、種別表示エリアＡ２における防火防煙用表示エリア５１、排煙用表示エリア５２、消火用表示エリア５３、諸警報用表示エリア５４、設備異常用表示エリア５５が、それぞれ表示されて、ソフトスイッチを構成し、これらのスイッチのうちで、状態変化したものがないスイッチは、グレー表示である。上記スイッチのうちの１つを操作すると、個別表示エリアＡ１には、選択された設備機器のみ、選択された諸警報のみ、選択された設備異常のみが、表示される。
【００４６】
次に、実施例１の動作について説明する。
【００４７】
図４は、実施例１の動作を示すフローチャートである。
【００４８】
Ｓ１で、設備機器のいずれが作動しているかどうか、または、諸警報が発生しているかどうか、設備異常が発生しているかどうかを判断する。
【００４９】
Ｓ２で、通常時に、個別表示エリアＡ１は、２報表示エリアサイズであるので、２報のみについて作動表示する。
【００５０】
Ｓ３で、１０報表示画面へ切り換えるかどうかを判断する。なお、上記「１０報表示画面」は、同時に１０報を表示可能な画面であり、図３に示す個別表示エリアＡ１に表示されている画面である。端末装置情報スイッチ６０を押下すると、Ｓ４で、１０報表示画面を表示する。このとき、種別表示エリアＡ２の表示も行われる。
【００５１】
Ｓ５で、防火防煙、排煙、消火の各種別のうちで、作動している設備機器があるかどうかを判断し、また、諸警報、設備異常の各種別のうちで、発生しているものがあるかどうかを判断し、作動または発生しているものがあれば、Ｓ６で、種別表示エリアＡ２中の、防火防煙用表示エリア５１、排煙用表示エリア５２、消火用表示エリア５３、諸警報用表示エリア５４、設備異常用表示エリア５５における表示状態を、「無し」から、「作動」または「発生」の表示に切り換え、グレー表示から上記した各エリア５１〜５５に対応した色で表示する。
【００５２】
Ｓ７で、作動点数（作動している設備機器の数と、発生している諸警報、設備異常の数との合計の数）が、１０点以下であるかどうかを判断する。作動点数が１０点以下であれば、Ｓ８で、個別表示エリアＡ１の１頁目に設備機器等を表示する。作動点数が１０点よりも多ければ、Ｓ９で、個別表示エリアＡ１の２頁目以降についても、スクロールによって、作動している設備機器等を表示する。
【００５３】
そして、Ｓ１０で、個別表示エリアＡ１に、特定の種別だけを表示させるかどうかを判断する。特定の種別だけを抽出表示させたければ、種別表示エリアＡ２に表示されている防火防煙、排煙、消火、諸警報、設備異常の各ボタン（各表示用エリア５１〜５５がソフトスイッチになっている）を押し、表示させたい種別を選択する。すると、Ｓ１１で、押されたボタン５１〜５５に対応した種別だけを、１０報表示画面（個別表示エリアＡ１）に表示する。
【００５４】
Ｓ１２で、個別表示エリアＡ１内に選択した種別だけの抽出表示を終了させるかどうかを選択する。これが選択されると、つまり、Ｓ１０で押されたスイッチ５１〜５５が再操作（戻し操作）されると、個別表示エリアＡ１に特定の種別の設備機器のみを表示させる動作を終了させて（Ｓ８、Ｓ９の画面表示に戻し）、次に、Ｓ１３で、端末装置情報ボタン６０が再操作（戻し操作）されると、２報のみを表示する画面へ戻す。
【００５５】
なお、上記フローチャートの中で詳細に説明しなかったが、Ｓ２、Ｓ４、Ｓ８、Ｓ９等の個別表示エリアＡ１の上記３種類の設備機器、諸警報、設備異常毎の表示も、種別表示エリアＡ２中の各エリア５１〜５５に対応した色表示がなされる。
【００５６】
上記実施例によれば、設備機器を、種別毎に、色分け表示するので、どの設備機器が状態変化したかを、一目で認識することができ、状況を容易に把握することができる。
【００５７】
上記実施例によれば、端末装置情報ボタン６０を操作したときに、種別表示エリアＡ２の表示、および個別表示エリアＡ１の２報から１０報への表示拡大が行われ、その詳細を知ることができるので、全体の状況把握や知りたい情報を、素早く確認することができる。
【００５８】
また、上記実施例によれば、種別表示エリアには、ソフトスイッチが表示され、これらのソフトスイッチを操作したときに、対応する種別の設備機器のみを抽出して端末表示エリアに表示するので、種別毎に、どの設備機器が状態変化したかを把握することが容易である。
【図面の簡単な説明】
【００５９】
【図１】本発明の実施例１である火災受信機ＲＥ１を含む火災報知設備ＦＡ１のシステム構成を示すブロック図である。
【図２】火災受信機ＲＥ１を示すブロック図である。
【図３】実施例１である火災受信機ＲＥ１におけるＬＣＤ３０の表示例を示す図である。
【図４】実施例１の動作を示すフローチャートである。
【図５】従来の火災受信機における表示例を示す図である。
【符号の説明】
【００６０】
ＦＡ１…火災報知設備、
ＲＥ１…火災受信機、
２０…ＭＣＵ基板、
３０…ＬＣＤ、
Ａ１…個別表示エリア、
４０〜４９…表示エリア、
Ａ２…種別表示エリア、
５１…防火防煙用表示エリア、
５２…排煙用表示エリア、
５３…消火用表示エリア、
５４…諸警報用表示エリア、
５５…設備異常用表示エリア。
【図１】
2007286839.tif 000003
【図２】
2007286839.tif 000004
【図３】
2007286839.tif 000005
【図４】
2007286839.tif 000006
【図５】
2007286839.tif 000007